(57)【特許請求の範囲】
【請求項１】
引出の前板から前方に突出しつつ下方に向かって湾曲したひさし形状部を有するライン取手に取付けられるタオル掛けであって、
タオルが掛けられるバーと、
前記バーの両端部で該バーを支持する一対の基部とを有し、
前記基部は、
前記ライン取手のひさし形状部の上面に対応する形状を有し、該ひさし形状部の上面と接触する接触部と、
弾性を有し、前記ライン取手のひさし形状部の下面に接触する形状を有し、該ひさし形状部の先端部と係合し、かつ、上方から所定の過負荷を受けると該係合が解除される係合部とを備えることを特徴とするタオル掛け。
【請求項２】
前記基部は、前記ライン取手よりも上の位置に前記バーを支持することを特徴とする請求項１に記載のタオル掛け。
【請求項３】
前記基部は、前記接触部に連続して形成されていて、前記引出の上方に位置する幕板と接触する幕板接触部を備えることを特徴とする請求項１または２に記載のタオル掛け。
【請求項４】
前記基部は、射出成形された部品であり、前記接触部と前記係合部とが一体成形されていることを特徴とする請求項１から３のいずれか１項に記載のタオル掛け。
【発明の詳細な説明】
【技術分野】
【０００１】
本発明は、引出の前板から前方に突出しつつ下方に向かって湾曲したひさし形状部を有するライン取手に取付けられるタオル掛けに関するものである。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。これら各種収納庫の引出の前板には、取手が取り付けられている。
【０００３】
取手の形状や構造は様々なものが提案されている。例えばコの字状の金具やツマミを取り付けた構造や、前板の一部にくぼみを設ける構造も古くから見られる。また近年では、前板の幅とほぼ等しい幅を有する取手も好まれている。このような取手は、キッチン全体を観察した際に横方向の複数の引出に連続するラインとして観察されることから、ライン取手と呼ばれている。
【０００４】
ところで、キッチンでは水を取り扱うため、タオルが頻繁に使用される。コの字状の金具であればタオルを掛けることも可能であるが、ライン取手は通常は前板との間に隙間を持たないため、タオルを掛けることができない。そこで、何らかのタオル掛けを準備することが使用者にとって利便性を向上させることができる。
【０００５】
特許文献１には、引出の取手に係合するタオル掛けが開示されている。このタオル掛けが係合する取手は、前板の上面に配置されたライン取手である。取手は、断面形状が鉤状であって内部に広がった空間を有しており、さらに両端が開放されている。
【０００６】
特許文献１に記載のタオル掛けは、タオルが掛けられるバーと、バーの両端部にそれぞれ取り付けられた一対の基部とを備えている。一対の基部は、鉤状の取手の内側形状に対応する形状を有していて、開放された取手の両端からスライドさせることで取手と係合する。また、特許文献１の段落００１８には、バーが上方に上がったときに、一対の基部が取手から離脱することを防止するために、一対の基部に突起部を設けたことが記載されている。
【０００７】
すなわち、特許文献１に記載のタオル掛けは、取手の長手方向にスライド可能であるから、長手方向に離脱することを意図していて、また、取手の上下方向に関しては、タオル掛けが取手から離脱しない構成となっている。
【先行技術文献】
【特許文献】
【０００８】
【特許文献１】特開２００９−４１３６４号公報
【発明の概要】
【発明が解決しようとする課題】
【０００９】
しかしながら、タオル掛けは、例えば使用者が手をついてしまった場合のように、上方から過負荷を受けることがあり得る。特許文献１に記載のタオル掛けでは、上方から荷重を受けても、外れてしまうおそれはない。しかし逆に、耐荷重以上の過負荷を受けると、タオル掛けか、もしくは引出の取手が破損してしまうという問題がある。
【００１０】
また、特許文献１に記載のタオル掛けは、ライン取手の中でも、内部に広がった空間を有したものでなければ取り付けることができない。一方、ライン取手としては、ひさし形状を有するライン取手も考えられる。このライン取手は、引出の前板から前方に突出しつつ下方に向かって湾曲したひさし形状部を有していて、特許文献１に記載のタオル掛けを取付けることができない。
【００１１】
本発明は、このような課題に鑑み、ひさし形状を有するライン取手に取付け可能であり、かつ、上方から過負荷を受けても破損しないタオル掛けを提供することを目的としている。
【課題を解決するための手段】
【００１２】
上記課題を解決するために、本発明にかかるタオル掛けの代表的な構成は、引出の前板から前方に突出しつつ下方に向かって湾曲したひさし形状部を有するライン取手に取付けられるタオル掛けであって、タオルが掛けられるバーと、バーの両端部でバーを支持する一対の基部とを有し、基部は、ライン取手のひさし形状部の上面に対応する形状を有し、ひさし形状部の上面と接触する接触部と、弾性を有し、ライン取手のひさし形状部の下面に接触する形状を有し、ひさし形状部の先端部と係合し、かつ、上方から所定の過負荷を受けると係合が解除される係合部とを備えることを特徴とする。
【００１３】
上記構成によれば、接触部と係合部によってライン取手のひさし形状部の先端を挟み込むことにより、ライン取手にタオル掛けを取り付けることができる。また、ライン取手の端から、ひさし形状部を接触部と係合部の隙間に差し込みつつ、横方向にスライドさせて取り付けてもよい。一方、タオル掛けは、上方から過負荷を受けると、弾性を有する係合部が撓んだ状態となり、ライン取手の先端部との係合を解除する。係合が解除されたタオル掛けは、ライン取手のひさし形状部に沿って下方にスライドして、ライン取手から離脱できる。よって、タオル掛けは、上方から過負荷を受けても破損しない。
【００１４】
基部は、ライン取手よりも上の位置にバーを支持するとよい。これにより、バーがライン取手よりも上に位置することになり、バーに掛けられたタオルは、その長さにもよるが、キッチンの足元の足下収納庫に噛み込むことが少なくなる。よって、利便性が向上する。
【００１５】
基部は、接触部に連続して形成されていて、引出の上方に位置する幕板と接触する幕板接触部を備えるとよい。これにより、タオル掛けがライン取手に取付けられた状態で、接触部に連続する幕板接触部が幕板に接触することになり、ライン取手に対するタオル掛けの位置がより安定して、がたつきを防止できる。
【００１６】
基部は、射出成形された部品であり、接触部と係合部とが一体成形されているとよい。これにより、基部の製造工程を簡略化でき、生産性を向上させることができる。
【発明の効果】
【００１７】
本発明によれば、ひさし形状を有するライン取手に取付け可能であり、かつ、上方から過負荷を受けても破損しないタオル掛けを提供することができる。
【図面の簡単な説明】
【００１８】
【図１】本実施形態におけるタオル掛けを備えるキッチンを示す図である。
【図２】タオル掛けが取付けられるライン取手の側面および正面を示す図である。
【図３】タオル掛けの斜視図である。
【図４】タオル掛けがライン取手に取付けられた状態を示す側面図である。
【図５】タオル掛けの離脱動作を説明する図である。
【図６】他の実施形態におけるタオル掛けを示す図である。
【発明を実施するための形態】
【００１９】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（キッチン）
図１は、本実施形態における収納庫を備えるキッチンを示す図である。キッチン１００は、一枚の天板１１０（ワークトップ）の下に複数の収納庫（キャビネット）を備えた、いわゆるシステムキッチンである。天板１１０は、合成樹脂（人工大理石）やステンレスなどからなり、キッチン１００の全体の上面を覆っている。また、天板１１０には、組込み式に取り付けられたコンロ１１２の上面に対応するスペース１１２ａ、平坦なテーブル面であり主に調理を行うのに利用される調理スペース１１４、天板１１０に一体形成されたシンク１１６が設けられる。
【００２１】
天板１１０の下は、コンロ１１２本体が設置されているコンロキャビネット１２０と、調理スペース１１４に対応したベースキャビネット１３０と、シンク１１６が設置されているシンクキャビネット１４０等の各収納庫で構成される。各収納庫は、収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００２２】
各収納庫は、被収納物を収納するために、様々な大きさのスライド式の引出を設けている。コンロキャビネット１２０は、上部にコンロ１１２のグリル１１２ｂおよび操作パネル１１２ｃを備え、その脇には調味料などの小物を収納するための小さな引出であるスパイスボックス１２２が配設されている。コンロキャビネット１２０の中央部（グリル１１２ｂの下）には幅の広い大きな引出１２４が配設され、鍋やボウルなどの比較的大きな調理器具を収納することが可能になっている。また、コンロキャビネット１２０の下部の床近傍には、引出式の足元収納である足下収納庫１２６が配設されている。同様に、ベースキャビネット１３０には、複数の引出１３２、１３４および足下収納庫１３６が配設され、シンクキャビネット１４０には、引出１４４、および足下収納庫１４６が配設されている。
【００２３】
さらに、複数の引出１２４、１３２、１３４、１４４には、図示のように、ライン取手１５０、１５２、１５４、１５６がそれぞれ取り付けられている。また、引出１４４の上方には、幕板１４８が配置されている。
【００２４】
（タオル掛け）
次に、本実施形態の特徴であるタオル掛けについて説明する。タオル掛け２００は、図１に示すように、引出１４４のライン取手１５６に取付けられていて、例えば図中破線で示すタオル３００が掛けられる。
【００２５】
図２はタオル掛け２００が取付けられるライン取手１５６の側面および正面を示す図である。図２（ａ）は、タオル掛け２００を除いた状態で、ライン取手１５６の側面と共に、引出１４４、引出１４４の前板１５８、および幕板１４８の側面を示す図である。図２（ｂ）は、図２（ａ）に示す各部材の正面、およびタオル掛け２００の正面を示す図である。図２（ｃ）は、ライン取手の拡大側面図である。図３はタオル掛け２００の斜視図である。図４はタオル掛け２００がライン取手１５６に取付けられた状態を示す側面図、図５はタオル掛け２００の離脱動作を説明する図である。
【００２６】
ライン取手１５６は、図２（ａ）に示すように、幕板１４８の下方に位置する引出１４４の前板１５８の上面に配置されていて、図２（ｂ）に示すように、前板１５８の上面に沿って長手方向に延びている（図１参照）。また、ライン取手１５６は、図２（ａ）および図４に示すように、前板１５８から前方に突出しつつ下方に向かって湾曲したひさし形状部１５６ａを有する。
【００２７】
ライン取手１５６のひさし形状部１５６ａは、図２（ｃ）に示すように、上面１６０、下面１６２および先端部１６４を有していて、先端部１６４には、図中領域Ａに示す肉厚部１６６（ダマ）が形成されている。なお、ライン取手１５６は、アルミニウム合金の押し出し成型品によって形成することが好ましい。
【００２８】
タオル掛け２００は、図２（ｂ）に示すように、タオル３００（図１参照）が掛けられるバー２１０と、一対の基部２２０、２２０Ａとを有している。一対の基部２２０、２２０Ａは、バー２１０の両端部でバー２１０を支持する部材である。一対の基部２２０、２２０Ａは、図３および図４に示すように、接触部２２２と、係合部２２４と、幕板接触部２２６とを備える。ここで、基部２２０Ａは、基部２２０と左右対称な構成を有し、機能などが同様であるので、説明を適宜省略する。
【００２９】
基部２２０の接触部２２２は、ライン取手１５６のひさし形状部１５６ａの上面１６０に対応する形状を有していて、図４に示すように、ひさし形状部１５６ａの上面１６０と接触する。幕板接触部２２６は、接触部２２２に連続して形成されていて、図４に示すように、引出１４４の上方に位置する幕板１４８と接触するための接触面２２６ａを有する。
【００３０】
係合部２２４は、弾性を有していて、ライン取手１５６のひさし形状部１５６ａの下面１６２に接触する形状を有している（図４参照）。なお、係合部２２４は、例えばポリエチレン、ポリプロピレン、難燃性樹脂、エラストマー樹脂、ＰＯＭ等を用いて形成することが望ましい。
【００３１】
係合部２２４は、図３および図４に示すように突出部２２８を有する。また、基部２２０の接触部２２２と係合部２２４との間には、ライン取手１５６のひさし形状部１５６ａを受け入れるための空隙２３０が形成されている。係合部２２４の突出部２２８は、この空隙２３０に向かって突出していて、図４の領域Ａに示すように、ライン取手１５６の上記した肉厚部１６６と係合する形状を有する。
【００３２】
次に、図４および図５を参照して、タオル掛け２００をライン取手１５６に取付ける取付け動作、および、タオル掛け２００が上方から過負荷を受けてライン取手１５６から離脱する離脱動作について説明する。便宜上、図中実線で示す矢印Ｘ１、Ｘ２、Ｘ３を用いて取付け動作を説明し、また、点線で示す矢印Ｙ１、Ｙ２、Ｙ３を用いて離脱動作を説明する。
【００３３】
取り付け動作について図４を用いて説明する。取付け動作では、まず、下方に向かって湾曲したライン取手１５６のひさし形状部１５６ａが、タオル掛け２００の空隙２３０に受け入れられるように、タオル掛け２００の位置合わせを行う。位置合わせでは、例えば、ひさし形状部１５６ａの上面１６０および下面１６２を、タオル掛け２００の接触部２２２および係合部２２４にそれぞれ接触させる。位置合わせを行った状態で、タオル掛け２００を矢印Ｘ１に示すように下方から上方に押付ける。
【００３４】
下方から上方に押付けられたタオル掛け２００は、弾性を有する係合部２２４が矢印Ｘ２に示す方向に撓み、ひさし形状部１５６ａの先端の肉厚部１６６が空隙２３０に受け入れられる。肉厚部１６６が空隙２３０に受け入れられた状態で、さらに、矢印Ｘ３に示すひさし形状部１５６ａに沿った方向にタオル掛け２００を押付ける。タオル掛け２００はスライドし、図中領域Ａに示すように、係合部２２４の突出部２２８が肉厚部１６６と係合する。
【００３５】
このような取付け動作により、タオル掛け２００は、基部２２０の接触部２２２と係合部２２４とで、ライン取手１５６のひさし形状部１５６ａを挟み込んだ状態で、突出部２２８と肉厚部１６６とが係合する。よって、タオル掛け２００は、ひさし形状部１５６ａを有するライン取手１５６に取付けられる。
【００３６】
次に、離脱動作について図５を用いて説明する。離脱動作では、タオル掛け２００が、矢印Ｙ１に示すように上方から所定の過負荷を受けると、基部２２０全体がライン取手１５６の先端部１６４近傍を中心として、矢印Ｙ２方向に回動する。ここで、ライン取手１５６は剛性の高いアルミニウム合金からなるので、変形しないと見なすことができる。すると係合部２２４はライン取手１５６の内側にあるため、基部２２０に対して開く方向へと撓む（位置は変わっていない）。すると空隙２３０の幅が開き、突出部２２８と肉厚部１６６との係合が解除される。このため、矢印Ｙ３方向に沿ってタオル掛け２００がライン取手１５６から離脱する。
【００３７】
このような離脱動作により、タオル掛け２００は、上方から過負荷を受けると、係合部２２４が撓み、ライン取手１５６から離脱するので、破損することがない。なお、係合部２２４が撓んで係合が解除される所定の過負荷は、材質、サイズ等を考慮して適宜設定できる。
【００３８】
また、タオル掛け２００は、ライン取手１５６に取付けられた状態で、一対の基部２２０、２２０Ａがライン取手１５６よりも上の位置にバー２１０を支持している（図３および図４参照）。このため、ライン取手１５６よりも上に位置するバー２１０に掛けられたタオル３００は、図１に示すように、その長さにもよるが、キッチン１００の足元の足下収納庫１４６に噛み込むことが少なくなり、利便性が向上する。
【００３９】
さらに、タオル掛け２００は、接触部２２２に連続して形成された幕板接触部２２６の接触面２２６ａが、幕板１４８と接触すると、ライン取手１５６に対する基部２２０の位置がより安定して、ライン取手１５６に対するタオル掛け２００のがたつきを防止できる。
【００４０】
（他の実施形態）
図６は、他の実施形態におけるタオル掛け２００Ａを示す図である。図６（ａ）および図６（ｂ）は、ライン取手１５６に取付けられた状態のタオル掛け２００Ａをそれぞれ異なる方向から見た斜視図である。なお、図６では、上記実施形態に示す部材と同一部材には同一符号を付し、説明を適宜省略する。
【００４１】
タオル掛け２００Ａは、一対の基部２４０、２４０Ａがそれぞれ射出成形された部品であり、接触部２４２、係合部２４４および幕板接触部２４６が一体成形されている点で、上記実施形態のタオル掛け２００と異なる。
【００４２】
このようにタオル掛け２００Ａでは、一対の基部２４０、２４０Ａが一体成型であるので、製造工程を簡略化でき、生産性を向上させることができる。
【００４３】
上記実施形態では、タオル掛け２００、２００Ａは、上段の幕板に接触する幕板接触部２２６、２４６を備えていると説明した。しかしこれに代えて、天板１１０の前面に当接する接触部を設け、最上段の引出１３２のライン取手１５２（図１参照）にタオル掛け２００、２００Ａを装着する構成としてもよい。さらに、タオル掛け２００、２００Ａは、これらライン取手１５２、１５６の端から、ひさし形状部１５６ａを接触部２２２と係合部２２４の空隙２３０に差し込みつつ、横方向にスライドさせて取り付けてもよい。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、引出の前板から前方に突出しつつ下方に向かって湾曲したひさし形状部を有するライン取手に取付けられるタオル掛けに利用することができる。
【符号の説明】
【００４６】
１００…キッチン、１１０…天板、１１２…コンロ、１１２ａ…スペース、１１２ｂ…グリル、１１２ｃ…操作パネル、１１４…調理スペース、１２０…コンロキャビネット、１２２…スパイスボックス、１２４、１３２、１３４、１４４…引出、１２６、１３６、１４６…足下収納庫、１３０…ベースキャビネット、１４０…シンクキャビネット、１４８…幕板、１５０、１５２、１５４、１５６…ライン取手、１５６ａ…ひさし形状部、１５８…前板、１６０…上面、１６２…下面、１６４…先端部、１６６…肉厚部、２００、２００Ａ…タオル掛け、２１０…バー、２２０、２２０Ａ、２４０、２４０Ａ…基部、２２２、２４２…接触部、２２４、２４２…係合部、２２６、２４６…幕板接触部、２２６ａ、２４６ａ…接触面、２２８、２４８…突出部、２３０…空隙、３００…タオル
【図１】
0005484365.tif 000002
【図２】
0005484365.tif 000003
【図３】
0005484365.tif 000004
【図４】
0005484365.tif 000005
【図５】
0005484365.tif 000006
【図６】
0005484365.tif 000007